(57)【特許請求の範囲】
【請求項１】
無線通信システムにおける端末（ＵＥ）が参照信号シーケンスを生成する方法であって、
セル内の複数の端末に対してシーケンスグループホップ（ＳＧＨ）を有効にするために用いられるセル特定ＳＧＨパラメータを基地局から受信するステップと、
前記端末に対して、前記セル特定ＳＧＨパラメータによって有効にされた前記ＳＧＨを無効にするために用いられる端末特定ＳＧＨパラメータを前記基地局から受信するステップと、
基本シーケンス及び前記端末特定ＳＧＨパラメータによって決定されるシーケンスグループ番号に基づいて、前記参照信号シーケンスを生成するステップと、
を有する方法。
【請求項２】
前記端末特定ＳＧＨパラメータは、上位階層を介して受信されることを特徴とする請求項１に記載の方法。
【請求項３】
前記セル特定ＳＧＨパラメータは、上位階層を介して受信されることを特徴とする請求項１に記載の方法。
【請求項４】
各スロット内の前記シーケンスグループ番号は、互いに同じであることを特徴とする請求項１に記載の方法。
【請求項５】
各スロット内の前記シーケンスグループ番号は、一つのサブフレーム内で互いに同じであることを特徴とする請求項４に記載の方法。
【請求項６】
各スロット内の前記シーケンスグループ番号は、フレーム内のすべてのサブフレーム内で互いに同じであることを特徴とする請求項４に記載の方法。
【請求項７】
各スロット内の前記シーケンスグループ番号は、以下の数式によって決定されることを特徴とする請求項１に記載の方法。
【数１】
0005567688.tif 000026
ただし、ｎｓはフレーム内のスロット番号、ｆｓｓはセルＩＤ及び上位階層によって構成されるシーケンスシフトパターンを表し、ｆｇｈ（ｎｓ）は０である。
【請求項８】
無線通信システムにおける、参照信号シーケンスを生成する端末（ＵＥ）であって、
無線信号を送信又は受信する無線周波（ＲＦ）部と、
前記ＲＦ部と接続されるプロセッサと、を備え、
前記プロセッサは、
セル内の複数の端末に対してシーケンスグループホップ（ＳＧＨ）を有効にするために用いられるセル特定ＳＧＨパラメータを基地局から受信し、
前記端末に対して、前記セル特定ＳＧＨパラメータによって有効にされた前記ＳＧＨホップを無効にするために用いられる端末特定ＳＧＨパラメータを前記基地局から受信し、
基本シーケンス及び前記端末特定ＳＧＨパラメータによって決定されるシーケンスグループ番号に基づいて、前記参照信号シーケンスを生成するように構成される、端末。
【請求項９】
前記端末特定ＳＧＨパラメータは、上位階層を介して受信されることを特徴とする請求項８に記載の端末。
【請求項１０】
前記セル特定ＳＧＨパラメータは、上位階層を介して受信されることを特徴とする請求項８に記載の端末。
【請求項１１】
各スロット内の前記シーケンスグループ番号は、互いに同じであることを特徴とする請求項８に記載の端末。
【請求項１２】
各スロット内の前記シーケンスグループ番号は、一つのサブフレーム内で互いに同じであることを特徴とする請求項１１に記載の端末。
【請求項１３】
各スロット内の前記シーケンスグループ番号は、フレーム内のすべてのサブフレーム内で互いに同じであることを特徴とする請求項１１に記載の端末。
【請求項１４】
各スロット内の前記シーケンスグループ番号は、以下の数式によって決定されることを特徴とする請求項８に記載の端末。
【数２】
0005567688.tif 000027
ただし、ｎｓはフレーム内のスロット番号、ｆｓｓはセルＩＤ及び上位階層によって構成されるシーケンスシフトパターンを表し、ｆｇｈ（ｎｓ）は０である。
【発明の詳細な説明】
【技術分野】
【０００１】
本発明は、無線通信に関し、より詳しくは、無線通信システムにおける参照信号シーケンス生成方法及び装置に関する。
【背景技術】
【０００２】
多入力多出力（ＭＩＭＯ）技術は、複数送信アンテナ及び複数受信アンテナを使用してデータの送受信効率を向上させる。ＭＩＭＯシステムによってダイバシチを具現するための方式には、空間周波数ブロック符号（ＳＦＢＣ）、時空間ブロック符号（ＳＴＢＣ）、巡回遅延ダイバシチ（ＣＤＤ）、周波数切替え送信ダイバシチ（ＦＳＴＤ）、時間切替え送信ダイバシチ（ＴＳＴＤ）、プリコーディングベクトル切替え（ＰＶＳ）、空間多重化（ＳＭ）などがある。受信アンテナ数及び送信アンテナ数に応じたＭＩＭＯチャネル行列は、複数の独立チャネルに分解することができる。各々の独立チャネルを階層又はストリームという。階層の個数をランクという。
【０００３】
無線通信システムではデータの送受信、システム同期獲得、チャネル情報フィードバックなどのために、アップリンクチャネル又はダウンリンクチャネルを推定する必要がある。無線通信システム環境においては多重経路時間遅延のためフェージングが発生する。フェージングによる急激な環境変化によって発生する信号の歪みを補償して、送信信号を復元する過程をチャネル推定という。また、端末が属するセル又は他のセルに対するチャネル状態を測定する必要がある。チャネル推定又はチャネル状態測定のために、一般に、送受信器が相互に知っている参照信号（ＲＳ）を用いてチャネル推定を実行する。
【０００４】
参照信号送信に使われる副搬送波を参照信号副搬送波といい、データ送信に使われるリソース要素をデータ副搬送波という。直交周波数分割多重化（ＯＦＤＭ）システムにおいて、参照信号を、すべての副搬送波に割り当てる方式とデータ副搬送波間に割り当てる方式とがある。参照信号をすべての副搬送波に割り当てる方式は、チャネル推定性能の利得を得るためにプリアンブル信号のように参照信号だけからなる信号を用いる。これを使用する場合、一般に参照信号の密度が高いため、データ副搬送波間に参照信号を割り当てる方式に比べてチャネル推定性能を改善することができる。しかしながら、データの送信量が減少するため、データの送信量を増大させるためにはデータ副搬送波間に参照信号を割り当てる方式を使用する。このような方法を使用する場合、参照信号の密度が減少するためチャネル推定性能の劣化が発生し、これを最小化できる適切な配置が要求される。
【０００５】
【数１】
0005567688.tif 000002
受信器は、参照信号の情報を知っているため、受信された信号から参照信号の情報を分離してチャネルを推定することができ、推定されたチャネル値を補償して送信端で送ったデータを正確に推定することができる。送信器が送る参照信号をｐ、参照信号が伝送中に経験するチャネル情報をｈ、受信器で発生する熱雑音をｎ、受信器で受信された信号をｙとすると、ｙ＝ｈ・ｐ＋ｎのように表すことができる。この場合、参照信号ｐは、受信器が既に知っているため、最小二乗（ＬＳ）方式を用いるとき、式１のようにチャネル情報（ｈａｔ−ｈ）を推定することができる。
【０００６】
（式１）
【数２】
0005567688.tif 000003
【０００７】
このとき、参照信号ｐを用いて推定したチャネル推定値ｈａｔ−ｈは、ｈａｔ−ｎ値によってその正確度が決定される。したがって、正確なｈ値の推定のためには、ｈａｔ−ｎが０に収束しなければならず、このためには多くの個数の参照信号を用いてチャネルを推定してｈａｔ−ｎの影響を最小化しなければならない。優秀なチャネル推定性能を得るための多様なアルゴリズムが存在する。
【０００８】
参照信号送信においてセル間干渉（ＩＣＩ）を最小化するために、参照信号シーケンスに対してシーケンスグループホップ（ＳＧＨ）又はシーケンスホップ（ＳＨ）などを適用することができる。ＳＧＨが適用されることによって、各スロットにおいて送信する参照信号シーケンスのシーケンスグループインデクスが変化する。
【０００９】
複数ユーザＭＩＭＯ（ＭＵ−ＭＩＭＯ）環境において、複数の端末が送信する参照信号間の直交性を保証するために直交カバー符号（Ｏｒｔｈｏｇｏｎａｌ Ｃｏｖｅｒｉｎｇ Ｃｏｄｅ，ＯＣＣ）を適用することができる。ＯＣＣを適用することによって直交性及び処理量（ｔｈｒｏｕｇｈｐｕｔ）の向上を保証することができる。一方、ＭＵ−ＭＩＭＯ環境において、複数の端末は別個の帯域幅を使用することができる。別個の帯域幅を有する複数の端末が送信する参照信号に対して、ＳＧＨを実行しつつＯＣＣが共に適用される場合、セル計画の複雑度が増加する。すなわち、複数の端末が送信する参照信号間の直交性を保証し難い。
【００１０】
このため、参照信号シーケンスに対するＳＧＨ又はＳＨ実行可否を指示する他の方法が必要となる。
【発明の概要】
【発明が解決しようとする課題】
【００１１】
本発明の技術的課題は、無線通信システムにおける参照信号シーケンス生成方法及び装置を提供することである。
【課題を解決するための手段】
【００１２】
一態様において、無線通信システムにおける端末（ＵＥ）による参照信号シーケンス生成方法が提供される。上記参照信号シーケンス生成方法は、上記端末に特定の端末特定シーケンスグループホップ（ＳＧＨ）パラメータを受信するステップと、各スロット単位に基本シーケンスに基づいて参照信号シーケンスを生成するステップと、を含み、上記基本シーケンスは、ＳＧＨ実行可否を指示する上記端末特定ＳＧＨパラメータによって上記各スロット単位に決定されるシーケンスグループ番号及び基本シーケンス番号に応じて分類されることを特徴とする。
【００１３】
上記端末特定ＳＧＨパラメータは、上位階層を介して送信される。
【００１４】
上記参照信号シーケンスは、物理アップリンク共有チャネル（ＰＵＳＣＨ）リソースを使用し、信号の復調するための復調参照信号（ＤＭＲＳ）のシーケンスである。
【００１５】
上記端末特定ＳＧＨパラメータが、ＳＧＨが実行されないことを指示するとき、一つのサブフレーム内のスロットのシーケンスグループ番号及びシーケンスグループ内の基本シーケンス番号は、同じである。
【００１６】
上記端末特定ＳＧＨパラメータが、シーケンスホップ（ＳＨ）が実行されないことを指示するとき、一つのサブフレーム内のスロットのシーケンスグループ番号及びシーケンスグループ内の基本シーケンス番号は、同じである。
【００１７】
上記端末特定ＳＧＨパラメータが、ＳＧＨが実行されないことを指示するとき、フレーム内のすべてのスロットのシーケンスグループ番号は、同じである。
【００１８】
上記参照信号シーケンス生成方法は、ＳＧＨ実行可否を指示するセル特定ＳＧＨパラメータ又はＳＨ実行可否を指示するセル特定ＳＨパラメータを受信するステップを更に含む。上記セル特定ＧＨパラメータが、ＳＧＨが実行されることを指示するとき、ＳＧＨ実行可否を指示するにあたって、上記端末特定ＳＧＨパラメータが上記セル特定ＳＧＨパラメータに優先（ｏｖｅｒｒｉｄｅ）する。上記セル特定ＳＨパラメータが、ＳＨが実行されることを指示するとき、ＳＨ実行可否を指示するにあたって、上記端末特定ＳＧＨパラメータが上記セル特定ＳＨパラメータに優先する。
【００１９】
上記参照信号シーケンス生成方法は、上記参照信号シーケンスを副搬送波にマップして送信することを更に含む。
【００２０】
上記参照信号シーケンスは、循環シフトに更に基づいて生成される。
【００２１】
上記基本シーケンスは、Ｚａｄｏｆｆ−Ｃｈｕ（ＺＣ）シーケンスに基づいている。
【００２２】
上記参照信号シーケンスにＯＣＣが適用される。上記ＯＣＣの適用可否は、上位階層を介して送信されるＯＣＣインデクスによって指示される。
【００２３】
他の態様において、端末が提供される。上記端末は、端末特定ＳＧＨパラメータを受信するように構成される無線周波（ＲＦ）部と、上記ＲＦ部と接続され、各スロット単位に基本シーケンスに基づいて参照信号シーケンスを生成するように構成されるプロセッサと、を含み、上記基本シーケンスは、ＳＧＨ実行可否を指示する上記端末特定ＳＧＨパラメータによって上記各スロット単位に決定されるシーケンスグループ番号及び基本シーケンス番号に応じて分類されることを特徴とする。
【発明の効果】
【００２４】
ＭＵ−ＭＩＭＯ環境において、別個の帯域幅を使用する複数の端末間の直交性を保証することができる。
【図面の簡単な説明】
【００２５】
【図１】無線通信システムを示す図である。
【図２】３ＧＰＰ ＬＴＥにおける無線フレームの構造を示す図である。
【図３】一つのダウンリンクスロットに対するリソースグリッドの一例を示す図である。
【図４】ダウンリンクサブフレームの構造を示す図である。
【図５】アップリンクサブフレームの構造を示す図である。
【図６】ＳＣ−ＦＤＭＡシステムにおける送信器構造の一例を示す図である。
【図７】副搬送波マッパが複素数シンボルを周波数領域の各副搬送波にマップする方式の一例を示す図である。
【図８】復調のための参照信号送信器構造の一例を示す図である。
【図９】参照信号が送信されるサブフレームの構造の一例を示す図である。
【図１０】クラスタ化されたＤＦＴ−ｓ ＯＦＤＭ送信方式を適用した送信器の一例を示す図である。
【図１１】クラスタ化されたＤＦＴ−ｓ ＯＦＤＭ送信方式を適用した送信器の他の例を示す図である。
【図１２】クラスタ化されたＤＦＴ−ｓ ＯＦＤＭ送信方式を適用した送信器の他の例を示す図である。
【図１３】参照信号にＯＣＣが適用される一例を示す図である。
【図１４】複数の端末が別個の帯域幅を使用してＭＵ−ＭＩＭＯ送信を実行する場合の一例を示す図である。
【図１５】提案された端末特定ＳＧＨパラメータによってＳＧＨが実行されない場合の一例を示す図である。
【図１６】提案された参照信号シーケンス生成方法の一実施例を示す図である。
【図１７】本発明の実施例が具現される基地局及び端末のブロック図である。
【発明を実施するための形態】
【００２６】
以下の技術は、符号分割多元接続（ＣＤＭＡ）、周波数分割多元接続（ＦＤＭＡ）、時分割多元接続（ＴＤＭＡ）、直交周波数分割多元接続（ＯＦＤＭＡ）、単一搬送波周波数分割多元接続（ＳＣ−ＦＤＭＡ）などのような多様な無線通信システムに用いることができる。ＣＤＭＡは、はん用地上無線接続（ＵＴＲＡ）又はＣＤＭＡ２０００のような無線技術によって具現することができる。ＴＤＭＡは、世界移動体通信システム（ＧＳＭ）（登録商標）／一般パケット無線サービス（ＧＰＲＳ）／ＧＳＭ（登録商標）進化用強化データ速度（ＥＤＧＥ）のような無線技術によって具現することができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２．２０、Ｅ−ＵＴＲＡ（Ｅｖｏｌｖｅｄ ＵＴＲＡ）などのような無線技術によって具現することができる。ＩＥＥＥ８０２．１６ｍは、ＩＥＥＥ８０２．１６ｅの進化形であり、ＩＥＥＥ８０２．１６ｅに基づくシステムとの後方互換性を提供する。ＵＴＲＡは、はん用移動体通信システム（ＵＭＴＳ）の一部である。第３世代パートナシッププロジェクト（３ＧＰＰ）長期進化システム（ＬＴＥ）は、進化ＵＴＲＡ（Ｅ−ＵＴＲＡ）を使用する進化ＵＭＴＳ（Ｅ−ＵＭＴＳ）の一部であり、ダウンリンクにおいてＯＦＤＭＡを採用し、アップリンクにおいてＳＣ−ＦＤＭＡを採用する。高度ＬＴＥ（ＬＴＥ−Ａ）は、３ＧＰＰ ＬＴＥの進化形である。
【００２７】
説明を明確にするために、ＬＴＥ−Ａを中心に記述するが、本発明の技術的思想がこれに制限されるものではない。
【００２８】
図１は、無線通信システムである。
【００２９】
無線通信システム１０は、少なくとも一つの基地局（ＢＳ）１１を含む。各基地局１１は、特定の地理的領域（一般にセルという）１５ａ、１５ｂ、１５ｃに対して通信サービスを提供する。また、セルは複数の領域（セクタという）に分けることができる。端末（ＵＥ）１２は、固定されたものでもよいし、移動性を有するものでもよく、移動機（ＭＳ）、移動体端末（ＭＴ）、ユーザ端末（ＵＴ）、加入者局（ＳＳ）、無線機器、ＰＤＡ（Ｐｅｒｓｏｎａｌ Ｄｉｇｉｔａｌ Ａｓｓｉｓｔａｎｔ）、無線モデム、携帯機器等、他の用語で呼ばれることもある。基地局１１は、一般に端末１２と通信する固定局を意味し、進化ノードＢ（ｅＮＢ）、基地局装置（ＢＴＳ）、アクセスポイント、等、他の用語で呼ばれることもある。
【００３０】
端末は、通常一つのセルに属し、端末が属するセルをサービス提供セル（ｓｅｒｖｉｎｇ ｃｅｌｌ）という。サービス提供セルに対して通信サービスを提供する基地局をサービス提供基地局（ｓｅｒｖｉｎｇ ＢＳ）という。無線通信システムは、セルラシステムであるため、サービス提供セルに隣接する他のセルが存在する。サービス提供セルに隣接する他のセルを隣接セルという。隣接セルに対して通信サービスを提供する基地局を隣接基地局）という。サービス提供セル及び隣接セルは、端末を基準に相対的に決定される。
【００３１】
この技術は、ダウンリンク又はアップリンクに用いることができる。一般に、ダウンリンクは基地局１１から端末１２への通信を意味し、アップリンクは端末１２から基地局１１への通信を意味する。ダウンリンクにおいては、送信器は基地局１１の一部分であり、受信器は端末１２の一部分である。アップリンクにおいては、送信器は端末１２の一部分であり、受信器は基地局１１の一部分である。
【００３２】
無線通信システムは、多入力多出力（ＭＩＭＯ）システム、多入力１出力（ＭＩＳＯ）システム、１入力１出力（ＳＩＳＯ）システム、及び１入力多出力（ＳＩＭＯ）システムのうちいずれか一つである。ＭＩＭＯシステムは、複数の送信アンテナ及び複数の受信アンテナ）を使用する。ＭＩＳＯシステムは、複数の送信アンテナ及び一つの受信アンテナを使用する。ＳＩＳＯシステムは、一つの送信アンテナ及び一つの受信アンテナを使用する。ＳＩＭＯシステムは、一つの送信アンテナ及び複数の受信アンテナを使用する。以下、送信アンテナは、一つの信号又はストリームを送信するために使われる物理的又は論理的アンテナを意味し、受信アンテナは、一つの信号又はストリームを受信するために使われる物理的又は論理的アンテナを意味する。
【００３３】
図２は、３ＧＰＰ ＬＴＥにおける無線フレームの構造を示す。
【００３４】
これは３ＧＰＰ ＴＳ ３６．２１１ Ｖ８．２．０，“Ｔｅｃｈｎｉｃａｌ Ｓｐｅｃｉｆｉｃａｔｉｏｎ Ｇｒｏｕｐ Ｒａｄｉｏ Ａｃｃｅｓｓ Ｎｅｔｗｏｒｋ； Ｅｖｏｌｖｅｄ Ｕｎｉｖｅｒｓａｌ Ｔｅｒｒｅｓｔｒｉａｌ Ｒａｄｉｏ Ａｃｃｅｓｓ（Ｅ−ＵＴＲＡ）； Ｐｈｙｓｉｃａｌ ｃｈａｎｎｅｌｓ ａｎｄ ｍｏｄｕｌａｔｉｏｎ（Ｒｅｌｅａｓｅ ８）”，２００８年３月，の５節を参照することができる。図２を参照すると、無線フレームは１０個のサブフレームによって構成され、一つのサブフレームは２個のスロットによって構成される。無線フレーム内のスロットは＃０から＃１９までのスロット番号が付けられる。一つのサブフレームの送信にかかる時間を送信時間間隔（ＴＴＩ）という。ＴＴＩは、データ送信のためのスケジュール単位を意味する。例えば、一つの無線フレームの長さは１０ｍｓであり、一つのサブフレームの長さは１ｍｓであり、一つのスロットの長さは０.５ｍｓである。
【００３５】
一つのスロットは、時間領域において複数のＯＦＤＭシンボルを含み、周波数領域において複数の副搬送波を含む。３ＧＰＰ ＬＴＥはダウンリンクにおいてＯＦＤＭＡを使用するため、一つのシンボル区間を表現するためにＯＦＤＭシンボルが用いられる。ＯＦＤＭシンボルは、多元接続方式によっては他の名称で呼ばれることもある。例えば、アップリンク多元接続方式にＳＣ−ＦＤＭＡが使われる場合は、ＳＣ−ＦＤＭＡシンボルと呼んでもよい。リソースブロック（ＲＢ）はリソース割当単位であり、一つのスロット内に複数の連続する副搬送波を含む。上記無線フレームの構造は一例に過ぎない。したがって、無線フレームに含まれるサブフレームの個数、サブフレームに含まれるスロットの個数、又はスロットに含まれるＯＦＤＭシンボルの個数は、多様に変更することができる。
【００３６】
３ＧＰＰ ＬＴＥでは、正規（ｎｏｒｍａｌ）循環プレフィクス（ＣＰ）の場合は一つのスロットは７個のＯＦＤＭシンボルを含み、拡張（ｅｘｔｅｎｄｅｄ）ＣＰの場合は一つのスロットは６個のＯＦＤＭシンボルを含むと定義している。
【００３７】
無線通信システムは、大きく、周波数分割２重通信（ＦＤＤ）方式と、時分割２重通信（ＴＤＤ）方式とに分けられる。ＦＤＤ方式によると、アップリンク送信及びダウンリンク送信が別個の周波数帯域を占めて行われる。ＴＤＤ方式によると、アップリンク送信及びダウンリンク送信が同じ周波数帯域を占め、別個の時間に行われる。ＴＤＤ方式のチャネル応答は、実質的に相互的（ｒｅｃｉｐｒｏｃａｌ）である。これは与えられた周波数領域において、ダウンリンクチャネル応答及びアップリンクチャネル応答がほぼ同じであるということを意味する。したがって、ＴＤＤに基づく無線通信システムにおけるダウンリンクチャネル応答は、アップリンクチャネル応答から得ることができるという長所がある。ＴＤＤ方式は、周波数帯域全体においてアップリンク送信及びダウンリンク送信が時分割されるため、基地局によるダウンリンク送信と、端末によるアップリンク送信とを同時に実行することができない。アップリンク送信及びダウンリンク送信がサブフレーム単位に区別されるＴＤＤシステムにおいては、アップリンク送信及びダウンリンク送信は別個のサブフレームにおいて実行される。
【００３８】
図３は、一つのダウンリンクスロットに対するリソースグリッドの一例を示す。
【００３９】
ダウンリンクスロットは、時間領域において複数のＯＦＤＭシンボルを含み、周波数領域においてＮRB個のリソースブロックを含む。ダウンリンクスロットに含まれるリソースブロックの数ＮRBは、セルにおいて設定されるダウンリンク送信帯域幅に従属する。例えば、ＬＴＥシステムにおけるＮRBは、６０〜１１０のうちいずれか一つである。一つのリソースブロックは、周波数領域において複数の副搬送波を含む。アップリンクスロットの構造も上記ダウンリンクスロットの構造と同様である。
【００４０】
リソースグリッド上の各要素をリソース要素という。リソースグリッド上のリソース要素は、スロット内のインデクス対（ｋ,ｌ）によって識別することができる。ここで、ｋ（ｋ＝０,...,ＮRB×１２−１）は周波数領域内の副搬送波インデクスであり、ｌ（ｌ＝０,...,６）は時間領域内のＯＦＤＭシンボルインデクスである。
【００４１】
ここで、一つのリソースブロックは、時間領域において７ＯＦＤＭシンボル、周波数領域において１２副搬送波によって構成される７×１２リソース要素を含むことを例示的に記述するが、リソースブロック内のＯＦＤＭシンボルの数及び副搬送波の数はこれに制限されるものではない。ＯＦＤＭシンボルの数及び副搬送波の数は、ＣＰの長さ、周波数間隔などによって多様に変更することができる。例えば、正規ＣＰの場合、ＯＦＤＭシンボルの数は７であり、拡張されたＣＰの場合、ＯＦＤＭシンボルの数は６である。一つのＯＦＤＭシンボルにおいて副搬送波の数は、１２８、２５６、５１２、１０２４、１５３６、及び２０４８のうち一つを選定して使用することができる。
【００４２】
図４は、ダウンリンクサブフレームの構造を示す。
【００４３】
ダウンリンクサブフレームは時間領域において２個のスロットを含み、各スロットは正規ＣＰ内に７個のＯＦＤＭシンボルを含む。サブフレーム内の第１のスロットの前方部の最大３ＯＦＤＭシンボル（１.４ＭＨｚ帯域幅に対しては最大４ＯＦＤＭシンボル）は、制御チャネルが割り当てられる制御領域であり、残りのＯＦＤＭシンボルは、物理ダウンリンク共有チャネル（ＰＤＳＣＨ）が割り当てられるデータ領域である。
【００４４】
物理ダウンリンク制御チャネル（ＰＤＣＣＨ）は、ダウンリンク共有チャネル（ＤＬ−ＳＣＨ）のリソース割当及び送信フォーマット、アップリンク共有チャネル（ＵＬ−ＳＣＨ）のリソース割当情報、呼出しチャネル（ＰＣＨ）上の呼出し情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信電力制御命令の集合、ＩＰ電話（ＶｏＩＰ）の活性化、などを運ぶことができる。複数のＰＤＣＣＨを制御領域内において送信することができ、端末は複数のＰＤＣＣＨを監視することができる。ＰＤＣＣＨは、一つ又は複数個の連続的な制御チャネル要素（ＣＣＥ）の集合（ａｇｇｒｅｇａｔｉｏｎ）上で送信される。ＣＣＥは、無線チャネルの状態に応じた符号化速度をＰＤＣＣＨに提供するために使われる論理的割当単位である。ＣＣＥは、複数のリソース要素グループに対応する。ＣＣＥの数と、ＣＣＥによって提供される符号化速度との関係によって、ＰＤＣＣＨのフォーマット及び可能なＰＤＣＣＨのビット数が決定される。
【００４５】
基地局は、端末に送信しようとするＤＣＩによってＰＤＣＣＨフォーマットを決定し、制御情報に巡回冗長検査ビット（ＣＲＣ）を付ける。ＣＲＣにはＰＤＣＣＨの所有者又は用途によって固有な識別子（無線ネットワーク一時識別子，ＲＮＴＩ）がマスクされる。特定端末のためのＰＤＣＣＨの場合、端末の固有識別子、例えば、セルＲＮＴＩ（Ｃ−ＲＮＴＩ）がＣＲＣをマスクすることができる。又は、呼出しメッセージのためのＰＤＣＣＨの場合、呼出し指示識別子、例えば、呼出しＲＮＴＩ（Ｐ−ＲＮＴＩ）がＣＲＣをマスクすることができる。システム情報ブロック（ＳＩＢ）のためのＰＤＣＣＨの場合、システム情報ＲＮＴＩ（ＳＩ−ＲＮＴＩ）がＣＲＣをマスクすることができる。端末のランダムアクセスプリアンブルの送信に対する応答であるランダムアクセス応答を指示するために、ランダムアクセスＲＮＴＩ（ＲＡ−ＲＮＴＩ）がＣＲＣをマスクすることができる。
【００４６】
図５は、アップリンクサブフレームの構造を示す。
【００４７】
アップリンクサブフレームは、周波数領域において制御領域とデータ領域とに分けることができる。上記制御領域には、アップリンク制御情報を送信するための物理アップリンク制御チャネル（ＰＵＣＣＨ）が割り当てられる。上記データ領域には、データを送信するための物理アップリンク共有チャネル（ＰＵＳＣＨ）が割り当てられる。上位階層によって指示される場合、端末は、ＰＵＳＣＨ及びＰＵＣＣＨの同時送信を行うことができる。
【００４８】
一つの端末に対するＰＵＣＣＨは、サブフレームにおけるリソースブロック（ＲＢ）対として割り当てられる。リソースブロック対に属するリソースブロックは、第１のスロット及び第２のスロットの各々において別個の副搬送波を占める。ＰＵＣＣＨに割り当てられるリソースブロック対に属するリソースブロックが占める周波数は、スロット境界を基準に変更される。これを、ＰＵＣＣＨに割り当てられるＲＢ対がスロット境界において周波数がホップされたという。端末がアップリンク制御情報を時間に応じて別個の副搬送波を介して送信することによって、周波数ダイバシチ利得を得ることができる。ｍは、サブフレーム内においてＰＵＣＣＨに割り当てられたリソースブロック対の論理的な周波数領域位置を示す位置インデクスである。
【００４９】
ＰＵＣＣＨ上で送信されるアップリンク制御情報には、ハイブリッド自動再送要求（ＨＡＲＱ）肯定応答（ＡＣＫ）／否定応答（ＮＡＣＫ）、ダウンリンクチャネル状態を示すチャネル品質指示子（ＣＱＩ）、アップリンク無線リソース割当要求であるスケジュール要求（ＳＲ）などがある。
【００５０】
ＰＵＳＣＨは、トランスポートチャネルであるＵＬ−ＳＣＨにマップされる。ＰＵＳＣＨ上で送信されるアップリンクデータは、ＴＴＩ中に送信されるＵＬ−ＳＣＨのためのデータブロックであるトランスポートブロックである。上記トランスポートブロックはユーザ情報である。又は、アップリンクデータは多重化されたデータである。多重化されたデータは、ＵＬ−ＳＣＨのためのトランスポートブロックと制御情報とが多重化されたものである。例えば、データに多重化される制御情報には、ＣＱＩ、プリコーディング行列指示子（ＰＭＩ）、ＨＡＲＱ、ランク指示子（ＲＩ）などがある。又は、アップリンクデータは制御情報だけで構成することもできる。
【００５１】
図６は、ＳＣ−ＦＤＭＡシステムにおける送信器構造の一例を示す。
【００５２】
図６を参照すると、送信器５０は、離散フーリエ変換（ＤＦＴ）部５１、副搬送波マッパ５２、逆高速フーリエ変換（ＩＦＦＴ）部５３、及びＣＰ挿入部５４を含む。送信器５０は、スクランブルユニット（図示せず）、変調マッパ（図示せず）、階層マッパ（図示せず）、及び階層パーミュテータ（図示せず）を含むことができ、これらはＤＦＴ部５１の前に配置することができる。
【００５３】
ＤＦＴ部５１は、入力されるシンボルにＤＦＴを実行して複素数シンボルを出力する。例えば、Ｎtxシンボル（ただし、Ｎtxは自然数）が入力されたとき、ＤＦＴサイズはＮtxである。ＤＦＴ部５１は、変換プリコーダと呼ばれることがある。副搬送波マッパ５２は、上記複素数シンボルを周波数領域の各副搬送波にマップする。上記複素数シンボルは、データ送信のために割り当てられたリソースブロックに対応するリソース要素にマップすることができる。副搬送波マッパ５２は、リソースマッパと呼ばれることがある。ＩＦＦＴ部５３は、入力されるシンボルに対してＩＦＦＴを実行し、時間領域信号であるデータのための基底帯域信号を出力する。ＣＰ挿入部５４は、データのための基底帯域信号の後部の一部を複写し、データのための基底帯域信号の前部に挿入する。ＣＰ挿入を介してシンボル間干渉（ＩＳＩ）、搬送波間干渉（ＩＣＩ）が防止されるため、多重経路チャネルにおいても直交性を維持することができる。
【００５４】
図７は、副搬送波マッパが複素数シンボルを周波数領域の各副搬送波にマップする方式の一例を示す。図７の（ａ）を参照すると、副搬送波マッパは、ＤＦＴ部から出力された複素数シンボルを周波数領域において連続する副搬送波にマップする。複素数シンボルがマップされない副搬送波には‘０’が挿入される。これを集中型（ｌｏｃａｌｉｚｅｄ）マップという。３ＧＰＰ ＬＴＥシステムにおいては集中型マップ方式が使われる。図７の（ｂ）を参照すると、副搬送波マッパは、ＤＦＴ部から出力された連続する２個の複素数シンボルの間毎にＬ−１個の‘０’を挿入する（Ｌは自然数）。すなわち、ＤＦＴ部から出力された複素数シンボルは、周波数領域において等間隔に分散された副搬送波にマップされる。これを分散型マップという。副搬送波マッパが図７の（ａ）のような集中型マップ方式、又は図７の（ｂ）のような分散型マップ方式を使用する場合、単一搬送波特性が維持される。
【００５５】
図８は、復調のための参照信号送信器構造の一例を示す。
【００５６】
図８を参照すると、参照信号送信器６０は、副搬送波マッパ６１、ＩＦＦＴ部６２、及びＣＰ挿入部６３を含む。参照信号送信器６０は、図６の送信器５０と違って、ＤＦＴ部５１を経ずに周波数領域で生成され、副搬送波マッパ６１を介して副搬送波にマップされる。このとき、副搬送波マッパは、図７の（ａ）の集中型マップ方式を用いて参照信号を副搬送波にマップすることができる。
【００５７】
図９は、参照信号が送信されるサブフレームの構造の一例である。図９の（ａ）のサブフレームの構造は正規ＣＰの場合を示す。サブフレームは第１のスロット及び第２のスロットを含む。第１のスロット及び第２のスロットはそれぞれ７ＳＣ−ＦＤＭＡシンボルを含む。サブフレーム内の１４ＳＣ−ＦＤＭＡシンボルには０から１３までのシンボルインデクスが付けられる。シンボルインデクスが３及び１０であるＳＣ−ＦＤＭＡシンボルを介して参照信号を送信することができる。参照信号はシーケンスを用いて送信することができる。参照信号シーケンスとしてＺＣシーケンスを用いることができ、ルートインデクス及び循環シフト値に応じて多様なＺＣシーケンスを生成することができる。基地局は、端末に別個の循環シフト値を割り当て、直交シーケンス又は準直交シーケンスを介して複数の端末のチャネルを推定することができる。上記サブフレーム内の２個のスロットにおいて参照信号が占める周波数領域の位置は互いに同じであってもよいし、異なってもよい。２個のスロットでは同じ参照信号シーケンスが使われる。参照信号が送信されるＳＣ−ＦＤＭＡシンボルを除いた残りのＳＣ−ＦＤＭＡシンボルを介してデータを送信することができる。図９の（ｂ）のサブフレームの構造は拡張ＣＰの場合を示す。サブフレームは第１のスロット及び第２のスロットを含む。第１のスロット及び第２のスロットはそれぞれ６ＳＣ−ＦＤＭＡシンボルを含む。サブフレーム内の１２ＳＣ−ＦＤＭＡシンボルには０から１１までのシンボルインデクスが付けられる。シンボルインデクスが２及び８であるＳＣ−ＦＤＭＡシンボルを介して参照信号が送信される。参照信号が送信されるＳＣ−ＦＤＭＡシンボルを除いた残りのＳＣ−ＦＤＭＡシンボルを介してデータが送信される。
【００５８】
図９には示していないが、サブフレーム内のＳＣ−ＦＤＭＡシンボルを介して測定参照信号（ＳＲＳ）を送信することもできる。測定参照信号は、アップリンクスケジュールのために端末が基地局に送信する参照信号である。基地局は、受信された測定参照信号を介してアップリンクチャネルを推定し、推定されたアップリンクチャネルをアップリンクスケジュールに用いる。
【００５９】
クラスタ化されたＤＦＴ−ｓ ＯＦＤＭ送信方式は、既存のＳＣ−ＦＤＭＡ送信方式の変形であり、プリコーダを経たデータシンボルを複数のサブブロックに分け、該サブブロックを分離して、周波数領域にマップする方法である。
【００６０】
図１０は、クラスタ化されたＤＦＴ−ｓ ＯＦＤＭ送信方式を適用した送信器の一例である。図１０を参照すると、送信器７０は、ＤＦＴ部７１、副搬送波マッパ７２、ＩＦＦＴ部７３、及びＣＰ挿入部７４を含む。送信器７０は、スクランブルユニット（図示せず）、変調マッパ（図示せず）、階層マッパ（図示せず）、及び階層パーミュテータ（図示せず）を更に含むことができ、これはＤＦＴ部７１の前に配置することができる。
【００６１】
ＤＦＴ部７１から出力される複素数シンボルは、Ｎ個のサブブロックに分けられる（Ｎは自然数）。Ｎ個のサブブロックは、サブブロック＃１，サブブロック＃２，．．．，サブブロック＃Ｎで表すことができる。副搬送波マッパ７２は、Ｎ個のサブブロックを周波数領域において分散させて副搬送波にマップする。連続する２個のサブブロック間毎にＮＵＬＬを挿入することができる。一つのサブブロック内の複素数シンボルは、周波数領域において連続する副搬送波にマップすることができる。すなわち、一つのサブブロック内においては集中型マップ方式を用いることができる。
【００６２】
図１０の送信器７０は、単一搬送波送信器又は複数搬送波送信器のいずれにも用いることができる。単一搬送波送信器に使われる場合、Ｎ個のサブブロックのすべてが一つの搬送波に対応する。複数搬送波送信器に使われる場合、Ｎ個のサブブロックそれぞれが一つの搬送波に対応することができる。又は、複数搬送波送信器に使われる場合にも、Ｎ個のサブブロックのうち複数のサブブロックが一つの搬送波に対応することができる。一方、図１０の送信器７０において一つのＩＦＦＴ部７３を介して時間領域信号が生成される。したがって、図１０の送信器７０が複数搬送波送信器に使われるためには、連続した搬送波割当状況において、隣接した搬送波間の副搬送波間隔が整列しなければならない。
【００６３】
図１１は、クラスタ化されたＤＦＴ−ｓ ＯＦＤＭ送信方式を適用した送信器の他の例である。図１１を参照すると、送信器８０は、ＤＦＴ部８１、副搬送波マッパ８２、複数のＩＦＦＴ部８３−１，８３−２，．．．，８３−Ｎ（Ｎは自然数）、及びＣＰ挿入部８４を含む。送信器８０は、スクランブルユニット（図示せず）、変調マッパ（図示せず）、階層マッパ（図示せず）、及び階層パーミュテータ（図示せず）を更に含むことができ、これはＤＦＴ部８１の前に配置することができる。
【００６４】
Ｎ個のサブブロックそれぞれに対して個別にＩＦＦＴが実行される。第ｎのＩＦＦＴ部８３−ｎは、サブブロック＃ｎにＩＦＦＴを実行し、第ｎの基底帯域信号を出力する（ｎ＝１,２,...,Ｎ）。第ｎの基底帯域信号と第ｎの搬送波信号とを乗算して、第ｎの無線信号が生成される。Ｎ個のサブブロックから生成されたＮ個の無線信号は加算された後、ＣＰ挿入部８４によってＣＰが挿入される。図１１の送信器８０は、送信器が割当を受けた搬送波が隣接しない非連続の搬送波割当状況において用いることができる。
【００６５】
図１２は、クラスタ化されたＤＦＴ−ｓ ＯＦＤＭ送信方式を適用した送信器の他の例である。図１２は、チャンク単位にＤＦＴプリコーディングを実行するチャンク特定ＤＦＴ−ｓ ＯＦＤＭシステムである。これはＮｘ ＳＣ−ＦＤＭＡと呼ぶことができる。図１２を参照すると、送信器９０は、コードブロック分割部９１、チャンク分割部９２、複数のチャネル符号化部９３−１，．．．，９３−Ｎ、複数の変調器９４−１，．．．，９４−Ｎ、複数のＤＦＴ部９５−１，．．．，９５−Ｎ、複数の副搬送波マッパ９６−１，．．．，９６−Ｎ、複数のＩＦＦＴ部９７−１，．．．，９７−Ｎ、及びＣＰ挿入部９８を含む。ここで、Ｎは、複数搬送波送信器が使用する複数搬送波の個数である。チャネル符号化部９３−１，．．．，９３−Ｎはそれぞれ、スクランブルユニット（図示せず）を含むことができる。変調器９４−１，．．．，９４−Ｎは、変調マッパと呼ばれることがある。送信器９０は、階層マッパ（図示せず）及び階層パーミュテータ（図示せず）を更に含むことができ、これはＤＦＴ部９５−１，．．．，９５−Ｎの前に配置することができる。
【００６６】
コードブロック分割部９１は、トランスポートブロックを複数のコードブロックに分割する。チャンク分割部９２は、コードブロックを複数のチャンクに分割する。ここで、コードブロックは、複数搬送波送信器から送信されるデータを意味し、チャンクは、複数搬送波のうち一つの搬送波を介して送信されるデータ断片を意味する。送信器９０は、チャンク単位にＤＦＴを実行する。送信器９０は、非連続の搬送波割当状況又は連続した搬送波割当状況において用いることができる。
【００６７】
以下、アップリンク参照信号に対して説明する。
【００６８】
参照信号は、一般にシーケンスの形態で送信される。参照信号シーケンスは、特別な制限なしに任意のシーケンスを用いることができる。参照信号シーケンスには、位相偏移変調（ＰＳＫ）ベースのコンピュータを介して生成されたシーケンスを使用することができる。ＰＳＫの例には、２相位相偏移変調（ＢＰＳＫ）、４相位相偏移変調（ＱＰＳＫ）などがある。又は、参照信号シーケンスは、一定振幅ゼロ自己相関（ＣＡＺＡＣ）シーケンスを使用することができる。ＣＡＺＡＣシーケンスの例には、ＺＣベースのシーケンス、循環拡張されたＺＣシーケンス、短縮（ｔｒｕｎｃａｔｉｏｎ）ＺＣシーケンスなどがある。又は、参照信号シーケンスは、擬似ランダム（ＰＮ）シーケンスを使用することができる。ＰＮシーケンスの例には、ｍ−シーケンス、コンピュータを介して生成されたシーケンス、Ｇｏｌｄシーケンス、Ｋａｓａｍｉシーケンスなどがある。また、参照信号シーケンスは、循環シフトされたシーケンスを用いることができる。
【００６９】
アップリンク参照信号は、復調参照信号（ＤＭＲＳ）と測定参照信号（ＳＲＳ）とに区別することができる。ＤＭＲＳは、受信された信号の復調のためのチャネル推定に使われる参照信号である。ＤＭＲＳは、ＰＵＳＣＨ又はＰＵＣＣＨの送信と結合することができる。ＳＲＳは、アップリンクスケジュールのために端末が基地局に送信する参照信号である。基地局は、受信された測定参照信号を介してアップリンクチャネルを推定し、推定されたアップリンクチャネルをアップリンクスケジュールに用いる。ＳＲＳは、ＰＵＳＣＨ又はＰＵＣＣＨの送信と結合されない。ＤＭＲＳ及びＳＲＳのために同じ種類の基本シーケンスを用いることができる。一方、アップリンク複数アンテナ送信においてＤＭＲＳに適用されたプリコーディングは、ＰＵＳＣＨに適用されたプリコーディングと同様である。循環シフト分離は、ＤＭＲＳを多重化する基本方式である。３ＧＰＰ ＬＴＥ−ＡシステムにおけるＳＲＳは、プリコーディングされていなくてもよく、アンテナ特定された参照信号であってもよい。
【００７０】
参照信号シーケンスｒu,v（α）（ｎ）は、式２によって基本シーケンスｂu,v（α）と循環シフトαに基づいて定義することができる。
【００７１】
（式２）
【数３】
0005567688.tif 000004
【００７２】
式２において、ＭscRS（１≦ｍ≦ＮRBmax,UL）は参照信号シーケンスの長さであり、ＭscRS＝ｍ＊ＮscRBである。ＮscRBは、周波数領域において副搬送波の個数によって表したリソースブロックの大きさを示し、ＮRBmax,ULは、ＮscRBの倍数によって表したアップリンク帯域幅の最大値を示す。複数の参照信号シーケンスは、一つの基本シーケンスに異なる循環シフト値であるαを適用して定義することができる。
【００７３】
基本シーケンスｂu,v（n）は複数のグループに分けられ、このとき、ｕ∈｛０,１,...,２９｝はグループインデクスを示し、ｖはグループ内の基本シーケンスインデクスを示す。基本シーケンスは基本シーケンスの長さ（ＭscRS）に依存する。各グループは、１≦ｍ≦５であるｍに対して長さがＭscRSである一つの基本シーケンス（ｖ＝０）を含み、６≦ｍ≦ｎRBmax,ULであるｍに対しては長さがＭscRSである２個の基本シーケンス（ｖ＝０,１）を含む。シーケンスグループインデクスｕ及びグループ内の基本シーケンスインデクスｖは、後述するグループホップ又はシーケンスホップのように時間によって変わることがある。
【００７４】
また、参照信号シーケンスの長さが３ＮscRB又はそれ以上である場合、基本シーケンスは、式３によって定義することができる。
【００７５】
（式３）
【数４】
0005567688.tif 000005
【００７６】
式３で、ｑはＺＣシーケンスのルートインデクスを示す。ＮZCRSはＺＣシーケンスの長さであり、ＭscRSより小さい最大素数として与えられることができる。ルートインデクスｑであるＺＣシーケンスは、式４によって定義することができる。
【００７７】
（式４）
【数５】
0005567688.tif 000006
【００７８】
ｑは、式５によって与えることができる。
【００７９】
（式５）
【数６】
0005567688.tif 000007
【００８０】
参照信号シーケンスの長さが３ＮscRB以下である場合、基本シーケンスは、式６によって定義することができる。
【００８１】
（式６）
【数７】
0005567688.tif 000008
【００８２】
表１は、ＭscRS＝ＮscRBのとき、φ（ｎ）を定義した例示である。
【００８３】
（表１）
【表１】
0005567688.tif 000009
【表２】
0005567688.tif 000010
【００８４】
表２は、ＭscRS＝２＊ＮscRBのとき、φ（ｎ）を定義した例示である。
【００８５】
（表２）
【表３】
0005567688.tif 000011
【表４】
0005567688.tif 000012
【００８６】
参照信号のホップは、次のように適用することができる。
【００８７】
スロットインデクスｎsのシーケンスグループインデクスｕは、式７によってグループホップパターンｆgh（ｎs）及びシーケンスシフトパターンｆssに基づいて定義することができる。
【００８８】
（式７）
【数８】
0005567688.tif 000013
【００８９】
１７個の別個のグループホップパターン及び３０個の別個のシーケンスシフトパターンが存在することができる。グループホップの適用可否は、上位階層によって指示することができる。
【００９０】
ＰＵＣＣＨ及びＰＵＳＣＨは、同じグループホップパターンを有することができる。グループホップパターンｆgh（ｎs）は、式８によって定義することができる。
【００９１】
（式８）
【数９】
0005567688.tif 000014
【００９２】
式８において、ｃ（ｉ）は、ＰＮシーケンスである疑似ランダムシーケンスであり、長さ３１のＧｏｌｄシーケンスによって定義することができる。式９は、Ｇｏｌｄシーケンスｃ（ｎ）の一例を示す。
【００９３】
（式９）
【数１０】
0005567688.tif 000015
【００９４】
ここで、Ｎｃ＝１６００であり、ｘ1（ｉ）は第１のｍ−シーケンスであり、ｘ2（ｉ）は第２のｍ−シーケンスである。例えば、第１のｍ−シーケンス又は第２のｍ−シーケンスは、ＳＣ−ＦＤＭＡシンボル毎にセルＩＤ、一つの無線フレーム内のスロット番号、スロット内のＳＣ−ＦＤＭＡシンボルインデクス、ＣＰの種類などによって初期化することができる。疑似ランダムシーケンス生成器は、各無線フレームの始めで
【数１１】
0005567688.tif 000016
として初期化することができる。
【００９５】
ＰＵＣＣＨ及びＰＵＳＣＨは、同じシーケンスシフトパターンを有することができる。ＰＵＣＣＨのシーケンスシフトパターンは、ｆssPUCCH＝ＮIDcellｍｏｄ３０として与えることができる。ＰＵＳＣＨのシーケンスシフトパターンは、ｆssPUSCH＝（ｆssPUCCH＋Δss）ｍｏｄ３０として与えることができ、Δss∈｛０,１,...,２９｝は上位階層によって構成することができる。
【００９６】
シーケンスホップは、長さが６ＮscRBより長い参照信号シーケンスにだけ適用することができる。このとき、スロットインデクスｎsの基本シーケンスグループ内の基本シーケンスインデクスｖは、式１０によって定義することができる。
【００９７】
（式１０）
【数１２】
0005567688.tif 000017
【００９８】
ｃ（ｉ）は、式９の例示によって表現することができ、シーケンスホップの適用可否は、上位階層によって指示することができる。疑似ランダムシーケンス生成器は、各無線フレームの始めで
【数１３】
0005567688.tif 000018
として初期化することができる。
【００９９】
ＰＵＳＣＨのためのＤＭＲＳシーケンスは、式１１によって定義することができる。
【０１００】
（式１１）
【数１４】
0005567688.tif 000019
【０１０１】
式１１において、ｍ＝０,１,…であり、ｎ＝０,...,ＭscRS−１である。ＭscRS＝ＭscPUSCHである。
【０１０２】
循環シフト値であるα＝２πｎcs/１２はスロット内において与えられ、ｎcsは、式１２によって定義することができる。
【０１０３】
（式１２）
【数１５】
0005567688.tif 000020
【０１０４】
式１２において、ｎDMRS（1）は、上位階層において送信されるパラメータによって指示され、表３は、上記パラメータとｎDMRS（1）との対応関係の例示を示す。
【０１０５】
（表３）
【表５】
0005567688.tif 000021
【０１０６】
また、式１２において、ｎDMRS（2）は、ＰＵＳＣＨ送信に対応するトランスポートブロックのためのＤＣＩフォーマット０内の循環シフトフィールドによって定義することができる。ＤＣＩフォーマットは、ＰＤＣＣＨにおいて送信される。上記循環シフトフィールドは、３ビットの長さを有することができる。
【０１０７】
表４は、上記循環シフトフィールドとｎDMRS（2）との対応関係の一例である。
【０１０８】
（表４）
【表６】
0005567688.tif 000022
【０１０９】
同じトランスポートブロックにおいてＤＣＩフォーマット０を含むＰＤＣＣＨが送信されない場合、同じトランスポートブロックおいて最初のＰＵＳＣＨが半永続的にスケジュールされた場合、又は同じトランスポートブロックにおいて最初のＰＵＳＣＨがランダムアクセス応答許可（ｇｒａｎｔ）によってスケジュールされた場合、ｎDMRS（2）は０である。
【０１１０】
ｎPRS（ｎs）は、式１３によって定義することができる。
【０１１１】
（式１３）
【数１６】
0005567688.tif 000023
【０１１２】
ｃ（ｉ）は、式９の例示によって表現することができ、ｃ（ｉ）で示されるセル特定に適用することができる。疑似ランダムシーケンス生成器は、各無線フレームの始めで
【数１７】
0005567688.tif 000024
として初期化することができる。
【０１１３】
ＤＭＲＳシーケンスｒPUSCHは、振幅スケーリング係数βPUSCHと乗算され、該当するＰＵＳＣＨ送信に使われる物理トランスポートブロックに、シーケンスの始めのｒPUSCH（０）からマップされる。上記ＤＭＲＳシーケンスは、一つのスロット内において正規ＣＰである場合は４番目のＳＣ−ＦＤＭＡシンボル（ＳＣ−ＦＤＭＡシンボルインデクス３）に、拡張ＣＰである場合は３番目のＳＣ−ＦＤＭＡシンボル（ＳＣ−ＦＤＭＡシンボルインデクス２）にマップされる。
【０１１４】
ＳＲＳシーケンスｒSRS（ｎ）＝ｒu,v（α）（ｎ）が定義される。ｕはＰＵＣＣＨシーケンスグループインデクスを示し、ｖは基本シーケンスインデクスを示す。循環シフト値αは、式１４によって定義される。
【０１１５】
（式１４）
【数１８】
0005567688.tif 000025
【０１１６】
ｎSRScsは、各端末に対して上位階層によって構成される値であり、０から７までの整数のうちいずれか一つである。
【０１１７】
一方、参照信号シーケンスにＯＣＣを適用することができる。ＯＣＣは、互いに直交性を有し、且つシーケンスに適用することができるコードを意味する。一般的に複数のチャネルを区別するために別個のシーケンスが使用することができるが、ＯＣＣを用いて複数のチャネルを区別することができる。
【０１１８】
ＯＣＣは、次のような用途に用いることができる。
【０１１９】
１）アップリンク参照信号に割り当てられる無線リソースの量を増やすためにＯＣＣを適用することができる。
【０１２０】
例えば、第１のスロット及び第２のスロットにおいて送信される参照信号の循環シフト値がａに割り当てられるとき、第２のスロットにおいて送信される参照信号に（−）符号を割り当てることができる。すなわち、第１のユーザは、第２のスロットにおいて循環シフト値がａであり、且つ符号が（＋）である参照信号を送信し、第２のユーザは、第２のスロットにおいて循環シフト値がａであり、且つ符号が（−）である参照信号を送信することができる。基地局は、第１のスロットにおいて送信される参照信号と第２のスロットにおいて送信される参照信号とを加算することによって、第１のユーザのチャネルを推定することができる。また、基地局は、第１のスロットにおいて送信される参照信号から第２のスロットにおいて送信される参照信号を減算することによって、第２のユーザのチャネルを推定することができる。すなわち、ＯＣＣを適用することによって、基地局は、第１のユーザが送信する参照信号と第２のユーザが送信する参照信号とを区別することができる。これによって、少なくとも２名のユーザが、同じ参照信号シーケンスを使用する一方、別個のＯＣＣを使用することによって、使用できる無線リソースの量を２倍に増やすことができる。
【０１２１】
２）単一ユーザの複数アンテナ又は複数階層に割り当てられる循環シフト値の間隔を増やすためにＯＣＣを適用することができる。以下、複数階層に割り当てられる循環シフト値を説明するが、複数アンテナに割り当てられる循環シフト値にも適用することができる。
【０１２２】
アップリンク参照信号は、循環シフト値に基づいてチャネルを区別する。複数アンテナシステムにおいては、複数の階層を区別するために各階層に対する参照信号に別個の循環シフト値を割り当てることができる。階層の個数が増加するほど割り当てるべき循環シフト値も増加させなければならず、このため循環シフト値の間隔は減る。したがって、複数のチャネルの区別が難しくなるためチャネル推定性能が減少する。これを克服するためにＯＣＣを各階層に適用することができる。例えば、４個の階層に対し、各階層に対する参照信号の循環シフトオフセットが０，６，３及び９に各々割り当てられると仮定する。各階層に対する参照信号間の循環シフト値の間隔は３である。このとき、第３の階層及び第４の階層に（−）符号のＯＣＣを適用し、各アンテナの参照信号間の循環シフト値の間隔を６に増やすことができる。これによってチャネル推定の性能を増加させることができる。
【０１２３】
３）単一ユーザに割り当てられる循環シフト値の間隔を増やすためにＯＣＣを適用することができる。
【０１２４】
複数アンテナを有する多数のユーザを含む複数ユーザＭＩＭＯ（ＭＵ−ＭＩＭＯ）システムにおいて、循環シフト値にＯＣＣを適用することができる。例えば、ＭＩＭＯ送信を実行する単一ユーザの観点では、複数のアンテナ又は複数の階層を区別するために各アンテナ又は各階層間に間隔が遠い循環シフト値を割り当てることができるが、複数ユーザの観点では、各ユーザ間の循環シフト間隔は狭くてもよい。これを克服するために、ＯＣＣを適用することができる。ＯＣＣが適用されるとき、ＯＣＣのタイプによって複数ユーザ間に同じ循環シフト値を適用することができる。
【０１２５】
図１３は、参照信号にＯＣＣが適用される一例を示す。
【０１２６】
一つのサブフレーム内において、階層０に対する参照信号シーケンスと、階層１に対する参照信号シーケンスとの双方は、第１のスロットの４番目のＯＦＤＭシンボルと、第２のスロットの４番目のＯＦＤＭシンボルとにマップされる。各階層において２個のＯＦＤＭシンボルに同じシーケンスがマップされる。このとき、階層０に対する参照信号シーケンスは、[＋１ ＋１]の直交シーケンスが乗算されてＯＦＤＭシンボルにマップされる。階層１に対する参照信号シーケンスは、[＋１ −１]の直交シーケンスが乗算されてＯＦＤＭシンボルにマップされる。すなわち、階層１に対する参照信号シーケンスが一つのサブフレーム内において第２のスロットにマップされるとき、−１が乗算されてマップされる。
【０１２７】
上記のようにＯＣＣが適用される場合、参照信号を受信する基地局は、第１のスロットにおいて送信される参照信号シーケンスと、第２のスロットにおいて送信される参照信号シーケンスとを加算し、階層０のチャネルを推定することができる。また、基地局は、第１のスロットで送信される参照信号シーケンスから、第２のスロットで送信される参照信号シーケンスを減算することによって、階層１のチャネルを推定することができる。すなわち、ＯＣＣを適用することによって、基地局は各階層で送信される参照信号を区別することができる。したがって、同じリソースを使用して複数の参照信号を送信することができる。可能な循環シフトの値が６個である場合、上記のＯＣＣを適用して多重化することができる階層又はユーザの個数を１２個まで増加させることができる。
【０１２８】
本例では[＋１ ＋１]又は[＋１若しくは１]の二進フォーマットがＯＣＣとして使われることを仮定するが、これに限定されるものではなく、多様な種類の直交シーケンスをＯＣＣとして用いることができる。例えば、Ｗａｌｓｈ符号、ＤＦＴ係数、ＣＡＺＡＣシーケンスなどの直交シーケンスをＯＣＣに適用することができる。また、ＯＣＣを適用することによって、別個の帯域幅を有するユーザ間において、参照信号をより容易に多重化することができる。
【０１２９】
以下、提案された参照信号シーケンス生成方法を説明する。
【０１３０】
前述したように、ＬＴＥ ｒｅｌ−８における参照信号シーケンスに対するシーケンスグループホップ（ＳＧＨ）の実行可否は、セル特定として送信される信号によって指示することができる。以下、参照信号シーケンスに対するＳＧＨ実行可否を指示するセル特定信号をセル特定ＧＨパラメータという。セル内にＬＴＥ ｒｅｌ−８端末とＬＴＥ−Ａ端末とが同時に存在できるが、ＬＴＥ Ｒｅｌ−８端末とＬＴＥ−Ａ端末とは参照信号シーケンスに対するＳＧＨの実行可否が同様である。現在定義されているＳＧＨ又はシーケンスホップ（ＳＨ）はスロット単位に実行することができる。上記セル特定ＧＨパラメータは、上位階層によって提供されるＧｒｏｕｐ−ｈｏｐｐｉｎｇ−ｅｎａｂｌｅｄパラメータである。上記Ｇｒｏｕｐ−ｈｏｐｐｉｎｇ−ｅｎａｂｌｅｄの値が真の場合、参照信号シーケンスに対するＳＧＨが実行され、このとき、ＳＨは実行されない。上記Ｇｒｏｕｐ−ｈｏｐｐｉｎｇ−ｅｎａｂｌｅｄの値が偽の場合、参照信号シーケンスに対するＳＧＨが実行されず、上位階層によって提供され、ＳＨ実行可否を指示するセル特定ＳＨパラメータによってＳＨ実行可否が決定される。上記セル特定ＳＨパラメータは、上位階層によって提供されるＳｅｑｕｅｎｃｅ−ｈｏｐｐｉｎｇ−ｅｎａｂｌｅｄパラメータである。
【０１３１】
一方、ＬＴＥ−Ａにおいて、ＬＴＥ ｒｅｌ−８端末とＬＴＥ−Ａ端末とがＭＵ−ＭＩＭＯ送信を実行し、又はＬＴＥ−Ａ端末がＭＵ−ＭＩＭＯ送信を実行することができる。このとき、別個の帯域幅を有する端末のＭＵ−ＭＩＭＯをサポートするためにＯＣＣを適用することができる。ＯＣＣを適用することによって、ＭＵ−ＭＩＭＯ送信を実行する端末間の直交性を向上させ、処理量（ｔｈｒｏｕｇｈｐｕｔ）も向上させることができる。しかしながら、端末間の帯域幅が別個であり、ＬＴＥ ｒｅｌ−８において定義されるセル特定ＧＨ又はＳＨパラメータによって参照信号シーケンスに対するＳＧＨ又はＳＨ実行可否が決定されるときは、各端末が送信する参照信号間の直交性を十分に保証することができない。
【０１３２】
図１４は、複数の端末が別個の帯域幅を使用してＭＵ−ＭＩＭＯ送信を実行する場合の一例である。図１４の（ａ）において、第１の端末（ＵＥ１）及び第２の端末（ＵＥ２）は、同じ帯域幅を使用する。この場合、ＬＴＥ ｒｅｌ−８で定義するセル特定ＧＨ又はＳＨパラメータによって参照信号の基本シーケンスに対するＳＧＨ又はＳＨの実行可否を決定することができる。図１４の（ｂ）において、第１の端末（ＵＥ１）は、第２の端末（ＵＥ２）及び第３の端末（ＵＥ３）が使用する帯域幅を合計した帯域幅を使用する。すなわち、第１の端末、第２の端末、及び第３の端末が、各々、別個の帯域幅を使用する。この場合、新たな方法によって各端末が送信する参照信号の基本シーケンスに対するＳＧＨ又はＳＨ実行可否を決定する必要がある。
【０１３３】
これによって、既存のセル特定ＧＨパラメータ及びセル特定ＳＨパラメータ以外に新たに端末特定ＳＧＨパラメータが定義することができる。上記端末特定ＳＧＨパラメータは、特定端末のための情報であり、特定端末に対してだけ送信することができる。上記端末特定ＳＧＨパラメータは、特定端末に割り当てられたＰＵＳＣＨリソースを使用して送信されるＤＭＲＳに適用することができる。すなわち、上記端末特定ＳＧＨパラメータは、ＰＵＳＣＨリソースを使用して送信されるＤＭＲＳの基本シーケンスに対するＳＧＨ／ＳＨ実行可否を指示することができる。以下、説明の便宜のために、上記端末特定ＳＧＨパラメータによって参照信号の基本シーケンスに対するＳＧＨ及びＳＨ実行可否だけが決定されると限定するが、これに制限されるものではない。上記端末特定ＳＧＨパラメータと他の端末特定ＳＨパラメータによって、参照信号の基本シーケンスに対するＳＨ適用可否を決定することもできる。また、本発明は、ＰＵＳＣＨリソースを使用して送信されるＤＭＲＳの基本シーケンスに適用される場合を説明するが、これに制限されるものではなく、ＰＵＣＣＨリソースを使用して送信されるＤＭＲＳ、ＳＲＳなどにも多様に適用することができる。また、複数の端末が別個の帯域幅を有するＭＵ−ＭＩＭＯ環境を仮定するが、互いに同じ帯域幅を有するＭＵ−ＭＩＭＯ又はＳＵ−ＭＩＭＯ環境においても本発明の適用が可能である。
【０１３４】
セル特定ＧＨパラメータ又はセル特定ＳＨパラメータの値が真になって参照信号の基本シーケンスに対してＳＧＨ又はＳＨが実行されるとき、ＰＵＳＣＨリソースを使用するＤＭＲＳ、ＰＵＣＣＨリソースを使用するＤＭＲＳ及びＳＲＳに対してスロットレベルのＳＧＨ又はＳＨが共通に実行される。すなわち、スロット単位に参照信号の基本シーケンスのシーケンスグループインデクス（又は、番号）が変化するか、又はシーケンスグループ内で基本シーケンスインデクス（又は、番号）が変化する。このとき、端末特定ＳＧＨパラメータによってＰＵＳＣＨリソースを使用するＤＭＲＳに対する実行可否を再び指示することができる。すなわち、端末特定ＳＧＨパラメータがセル特定ＧＨパラメータ又はセル特定ＳＧＨパラメータに優先する。上記端末特定ＳＧＨパラメータは、Ｄｉｓａｂｌｅ Ｓｅｑｕｅｎｃｅ−ｇｒｏｕｐ ｈｏｐｐｉｎｇパラメータである。すなわち、上記端末特定ＳＧＨパラメータの値が真になる場合、セル特定ＧＨパラメータ又はセル特定ＳＨパラメータと関係なくＳＧＨ及びＳＨが実行されることはない。より具体的には、上記端末特定ＳＧＨパラメータの値が真のとき、セル特定ＧＨパラメータ又はセル特定ＳＨパラメータによって、参照信号の基本シーケンスに対するＳＧＨ又はＳＨの実行が指示されるが、参照信号の基本シーケンスに対するＳＧＨ及びＳＨは実行されない。ＳＧＨが実行されないため、参照信号の基本シーケンスのシーケンスグループインデクスはスロット単位に変化しない。また、セル特定ＧＨパラメータによってＳＧＨが実行されるときと同様に、ＳＨが実行されないため、参照信号の基本シーケンスの基本シーケンスインデクスはスロット単位に変化しない。このとき、一つのサブフレーム内においてだけＳＧＨ及びＳＨが実行されず、サブフレーム内の２つのスロットは、同じシーケンスグループインデクスと同じ基本シーケンスインデクスの参照信号の基本シーケンスを送信し、サブフレーム間にはＳＧＨ又はＳＨを適用することができる。又は、サブフレーム全体においてＳＧＨ及びＳＨが適用されず、すべてのスロットは、同じシーケンスグループインデクスと同じ基本シーケンスインデクスの参照信号の基本シーケンスを送信することもできる。一方、上記端末特定ＳＧＨパラメータの値が偽のとき、参照信号の基本シーケンスに対するＳＧＨ又はＳＨは、セル特定ＧＨパラメータ又はセル特定ＳＨパラメータによって指示されたとおり実行することができる。
【０１３５】
図１５は、提案された端末特定ＳＧＨパラメータによってＳＧＨ及びＳＨが実行されない場合の一例である。図１５を参照すると、ＬＴＥ ｒｅｌ−８又は９において、ＳＧＨ及びＳＨが実行されるとき、各スロットで送信される参照信号の基本シーケンスのシーケンスグループインデクス又は基本シーケンスインデクスが異なる。方法１は、端末特定ＳＧＨパラメータによってサブフレーム内においてＳＧＨとＳＨが実行されない場合である。各サブフレーム内の２つのスロットは、同じシーケンスグループインデクス及び同じ基本シーケンスインデクスを有する参照信号の基本シーケンスを生成し、サブフレーム間でシーケンスグループインデクス又は基本シーケンスインデクスが変化する。方法２は、端末特定ＳＧＨパラメータによってすべてのサブフレームにおいてＳＧＨ及びＳＨが実行されない場合である。これによって、すべてのサブフレームが、同じシーケンスグループインデクス及び同じ基本シーケンスインデクスを有する参照信号の基本シーケンスを生成する。
【０１３６】
図１６は、提案された参照信号シーケンス生成方法の一実施例である。
【０１３７】
ステップＳ１００において、端末は端末特定ＳＧＨパラメータを受信する。上記端末特定ＳＧＨパラメータは、上位階層によって与えることができる。ステップＳ１１０において、端末は各スロット単位に基本シーケンスに基づいて参照信号シーケンスを生成する。上記基本シーケンスは、ＳＧＨ及びＳＨ実行可否を指示する上記端末特定ＳＧＨパラメータに応じて、上記各スロット単位に決定されるシーケンスグループ番号と基本シーケンス番号とに分類することができる。
【０１３８】
上記端末特定ＳＧＨパラメータによるＳＧＨ及びＳＨ実行可否は、以下で説明する多様な方法によって端末に知らせることができる。
【０１３９】
１）アップリンク送信のためのＤＣＩフォーマットに含まれている周波数ホップフラグが、上記端末特定ＳＧＨパラメータの役割をすることができる。例えば、周波数ホップフラグによって周波数ホップが有効にされる（ｅｎａｂｌｅ）場合、スロットレベルのＳＧＨ又はＳＨが実行することができる。また、周波数ホップフラグによって周波数ホップが無効にされる（ｄｉｓａｂｌｅ）場合、ＰＵＳＣＨリソースを使用するＤＭＲＳの基本シーケンスに対するＳＧＨ及びＳＨは実行されない。又は、サブフレーム単位でＳＧＨ又はＳＨを実行することができる。
【０１４０】
２）アップリンク送信のためのＤＣＩフォーマットに含まれているＵＥ ＩＤを示すビットに、参照信号の基本シーケンスに対するＳＧＨ及びＳＨ実行可否を示す情報をマスクしてＳＧＨ及びＳＨ実行可否を指示することができる。
【０１４１】
３）アップリンク送信のためのＤＣＩフォーマットに含まれている循環シフト指示子の特定インデクスが指定されたとき、参照信号の基本シーケンスに対するＳＧＨ及びＳＨ実行可否を指示することができる。
【０１４２】
４）アップリンク送信のためのＤＣＩフォーマットに、参照信号の基本シーケンスのＳＧＨ及びＳＨ実行可否を指示する端末特定ＳＧＨパラメータを含めることができる。
【０１４３】
５）特定端末のための上位階層信号通知によって、端末特定ＳＧＨパラメータを端末に送信することができる。
【０１４４】
６）クラスタ化されたＤＦＴ−ｓ ＯＦＤＭ送信方式が使われる場合、参照信号の基本シーケンスに対するＳＧＨ及びＳＨは実行されない。
【０１４５】
一方、端末特定ＳＧＨパラメータによって参照信号の基本シーケンスに対するＳＧＨ及びＳＨが実行されないとき、該当参照信号に対してＯＣＣを適用することができる。参照信号の基本シーケンスに対するＳＧＨ又はＳＨが実行される場合には、ＯＣＣが適用されない。
【０１４６】
ＯＣＣ適用可否を指示するために多様な方法を用いてもよい。まず、循環シフトインデクスがＤＣＩフォーマットを介して指示され、ＯＣＣ適用可否を指示するＯＣＣインデクスが上位階層を介して送信されるとき、参照信号の基本シーケンスに対するＳＧＨ及びＳＨが実行されない場合には、ＯＣＣインデクスによるＯＣＣ適用可否にそのまま従ってもよい。例えば、ＯＣＣインデクスが０である場合にはＯＣＣを適用せず、ＯＣＣインデクスが１である場合にはＯＣＣを適用することができる。又は、その反対に、ＯＣＣインデクスが１である場合にはＯＣＣを適用せず、ＯＣＣインデクスが０である場合にはＯＣＣを適用することができる。また、参照信号の基本シーケンスに対するＳＧＨ又はＳＨが実行される場合には、ＯＣＣインデクスと反対に、ＯＣＣ適用可否を決定することができる。例えば、ＯＣＣインデクスが０である場合にはそのままＯＣＣを適用し、ＯＣＣインデクスが１である場合にはＯＣＣを適用しない。又は、その反対に、ＯＣＣインデクスが１である場合にはそのままＯＣＣを適用し、ＯＣＣインデクスが０である場合にはＯＣＣを適用しない。
【０１４７】
又は、ＯＣＣ適用可否を指示するＯＣＣインデクスを別に定義せずに、ＤＣＩフォーマット内の３ビットの循環シフトインデクスとＯＣＣインデクスとを結合して、特定循環シフトインデクスに対して特定ＯＣＣを適用するように指示することができる。このとき、参照信号の基本シーケンスに対するＳＧＨ、又は仮実行される場合には該当循環シフトインデクスが指示するＯＣＣインデクスをもう一回反転させ、結果的にＯＣＣが適用されないようにすることができる。また、端末特定ＳＧＨパラメータによって参照信号の基本シーケンスに対するＳＧＨ及びＳＨが実行されない場合には、該当循環シフトインデクスが指示するＯＣＣインデクスをそのまま使用してＯＣＣが適用されるようにすることができる。これによって、各階層に割り当てられた参照信号間の干渉を減らすことができる。
【０１４８】
以上、端末特定ＳＧＨパラメータによって参照信号の基本シーケンスに対するＳＧＨ及びＳＨ実行可否が決定されることを説明したが、ＭＵ−ＭＩＭＯ環境において端末間参照信号の直交性を更に保証するために、追加的にＳＨ実行可否を指示するパラメータを新たに定義することができる。上記ＳＨ実行可否を指示する新たなパラメータは、端末特定ＳＨパラメータである。端末特定ＳＨパラメータは、前述した端末特定ＳＧＨパラメータと同様な方法に適用することができる。すなわち、端末特定ＳＨパラメータは、セル特定ＳＨパラメータに優先して適用することができる。このとき、前述された端末特定ＳＧＨパラメータは、ＳＧＨ実行可否だけを決定することができる。すなわち、端末特定ＳＧＨパラメータの値が真のとき、参照信号の基本シーケンスに対するＳＧＨは実行されない。また、端末特定ＳＨパラメータによって参照信号の基本シーケンスに対するＳＨ実行可否が決定される。端末特定ＳＨパラメータの値が真の場合、参照信号の基本シーケンスに対するＳＨは実行されず、端末特定ＳＨパラメータの値が偽の場合、参照信号の基本シーケンスに対するＳＨ実行可否は、セル特定ＳＨパラメータによって決定することができる。上記端末特定ＳＨパラメータは、ＰＤＣＣＨを介する信号通知を用いて暗黙的又は明示的に動的信号通知され、又はＲＲＣ信号通知のような上位階層によって、暗黙的又は明示的に与えることができる。
【０１４９】
一方、以上の説明においては、アップリンク送信モードと関係なしに、端末特定ＳＧＨパラメータ、端末特定ＧＨパラメータ又は端末特定ＳＨパラメータが、セル特定ＧＨパラメータ又はセル特定ＳＨパラメータより優先して適用されることを仮定したが、送信モードによって変えることもできる。ＬＴＥ ｒｅｌ−８／９においては、単一アンテナ送信モードが基本的に提供されるが、ＬＴＥ−Ａではアップリンク送信の効率のために複数アンテナ送信モード、非連続割当を提供するための送信モードなどを定義することができる。このとき、送信モードに応じて、端末特定ＳＧＨパラメータ、端末特定ＧＨパラメータ又は端末特定ＳＨパラメータの実行可否を決定することができる。例えば、単一アンテナ送信モードにおいては、端末特定ＳＧＨパラメータがセル特定ＧＨパラメータ又はセル特定ＳＨパラメータに優先されるが、これを無視してセル特定ＧＨパラメータ又はセル特定ＳＨパラメータによって参照信号の基本シーケンスに対するＳＧＨ又はＳＨ実行可否を決定してもよい。
【０１５０】
図１７は、本発明の実施例が具現される基地局及び端末のブロック図である。
【０１５１】
基地局８００は、プロセッサ８１０、メモリ８２０、及び無線周波（ＲＦ）部８３０を含む。プロセッサ８１０は、提案された機能、過程及び／又は方法を具現する。無線インターフェースプロトコルの階層は、プロセッサ８１０によって具現することができる。メモリ８２０は、プロセッサ８１０と接続され、プロセッサ８１０を駆動するための多様な情報を記憶する。ＲＦ部８３０は、プロセッサ８１０と接続され、端末特定ＳＧＨパラメータを端末に送信する。
【０１５２】
端末９００は、プロセッサ９１０、メモリ９２０、及びＲＦ部９３０を含む。ＲＦ部９３０は、プロセッサ９１０と接続され、上記端末特定ＳＧＨパラメータを受信する。プロセッサ９１０は、提案された機能、過程及び／又は方法を具現する。無線インターフェースプロトコルの階層は、プロセッサ９１０によって具現することができる。プロセッサ９１０は、各スロット単位に基本シーケンスに基づいて参照信号シーケンスを生成するように構成される。上記基本シーケンスは、ＳＧＨ実行可否を指示する上記端末特定ＳＧＨパラメータによって上記各スロット単位に決定されるシーケンスグループ番号及び基本シーケンス番号に応じて分類される。メモリ９２０は、プロセッサ９１０と接続され、プロセッサ９１０を駆動するための多様な情報を記憶する。
【０１５３】
プロセッサ８１０、９１０は、特定用途集積回路（ＡＳＩＣ）、他のチップセット、論理回路及び/又はデータ処理装置を含むことができる。メモリ８２０、９２０は、ＲＯＭ、ＲＡＭ、フラッシュメモリ、メモリカード、記憶媒体及び／又は他の記憶装置を含むことができる。ＲＦ部８３０、９３０は、無線信号を処理するためのベースバンド回路を含むことができる。実施例がソフトウェアによって具現されるとき、前述した方式は前述した機能を遂行するモジュール（過程、機能など）によって具現することができる。モジュールは、メモリ８２０、９２０に記憶され、プロセッサ８１０、９１０によって実行することができる。メモリ８２０、９２０は、プロセッサ８１０、９１０の内部又は外部にあり、よく知られた多様な手段でプロセッサ８１０、９１０と接続することができる。
【０１５４】
前述した例示的なシステムにおいて、方法は、一連のステップ又はブロックによって順序図に基づいて説明されているが、本発明は、ステップの順序に限定されるものではなく、あるステップは、前述と異なるステップと異なる順序に又は同時に発生することができる。また、当業者であれば、順序図に示すステップが排他的ではなく、他のステップが含まれ、順序図の一つ又はその以上のステップが本発明の範囲に影響を及ぼさずに削除可能であることを理解することができるであろう。
【０１５５】
前述した実施例は、多様な態様の例示を含む。多様な態様を示すためのすべての可能な組合せを記述することはできないが、該当技術分野の通常の知識を有する者は、他の組合せが可能であることを認識することができるであろう。したがって、本発明は、特許請求の範囲内に属するすべての交替、修正及び変更を含む。
【図１】
0005567688.tif 000028
【図２】
0005567688.tif 000029
【図３】
0005567688.tif 000030
【図４】
0005567688.tif 000031
【図５】
0005567688.tif 000032
【図６】
0005567688.tif 000033
【図７】
0005567688.tif 000034
【図８】
0005567688.tif 000035
【図９】
0005567688.tif 000036
【図１０】
0005567688.tif 000037
【図１１】
0005567688.tif 000038
【図１２】
0005567688.tif 000039
【図１３】
0005567688.tif 000040
【図１４】
0005567688.tif 000041
【図１５】
0005567688.tif 000042
【図１６】
0005567688.tif 000043
【図１７】
0005567688.tif 000044